(57)【要約】【課題】浴室用椅子を折り畳む際における利用者の作業を軽減する。【解決手段】浴室用椅子１００は、前脚１０と、後脚２０と、前脚１０と後脚２０とを相互回転可能に連結する脚回転軸３０と、前脚１０に接続されたフレーム１５と、肘掛け８０と、肘掛け８０をフレーム１５に回転可能に連結する肘掛け回転軸８５と、座部５０と、線状体９０とを備えている。線状体９０は、開脚位置Ｐ１１のときの肘掛け回転軸８５からの距離が、閉脚位置Ｐ１２のときの肘掛け回転軸８５からの距離よりも短いような後脚２０または座部５０の部位に連結された第１連結点Ｐｔ１と、肘掛け８０に連結された第２連結点Ｐｔ２とを有している。線状体９０は、開脚位置Ｐ１１から閉脚位置Ｐ１２へ移動するように前脚１０と後脚２０とが相互回転したとき、肘掛け８０を横位置Ｐ２１から縦位置Ｐ２２に移動させるように構成されている。【選択図】図５
2020031904.tif 000002
【特許請求の範囲】
【請求項１】
第１の脚と、
下部が前記第１の脚の下部から前後に離れた位置に設けられる第２の脚と、
前記第１の脚の下部と前記第２の脚の下部とが接近した閉脚位置と、前記第１の脚の下部と前記第２の脚の下部とが離反した開脚位置との間で移動可能なように、前記第１の脚と前記第２の脚とを相互回転可能に連結する脚回転軸と、
前記第１の脚および前記第２の脚の少なくとも一方に支持された座部と、
前記第１の脚の上部に接続されたフレームと、
根元部および先端部を有する肘掛けと、
前記肘掛けの前記先端部が前記根元部の前方に配置される横位置と、前記肘掛けの前記先端部が前記根元部の上方または下方に配置される縦位置との間で移動可能なように、前記肘掛けの前記根元部を前記フレームに回転可能に連結する肘掛け回転軸と、
前記第２の脚または前記座部に連結された第１連結点と、前記肘掛けに連結された第２連結点とを有する線状体と、
を備え、
側面視において、前記開脚位置のときの前記第１連結点と前記肘掛け回転軸との距離は、前記閉脚位置のときの前記第１連結点と前記肘掛け回転軸との距離よりも短く、
前記線状体は、前記開脚位置から前記閉脚位置へ移動するように前記第１の脚と前記第２の脚とが相互回転したとき、前記第２連結点が前記第１連結点側に引っ張られることにより前記肘掛けを前記横位置から前記縦位置に移動させるように構成された、浴室用椅子。
【請求項２】
前記第１連結点は前記第２の脚に連結されている、請求項１に記載された浴室用椅子。
【請求項３】
前記第１の脚は前脚であり、
前記第２の脚は後脚である、請求項１または２に記載された浴室用椅子。
【請求項４】
前記縦位置のとき、前記肘掛けの前記先端部は前記根元部の上方に配置され、
前記線状体は、
前記肘掛けが前記横位置に配置されているときにおいて、
前記肘掛け回転軸の後方に配置される線状後部と、
前記肘掛け回転軸の上方に配置される線状上部と、
を有している、請求項１から３までの何れか１つに記載された浴室用椅子。
【請求項５】
前記第２連結点は、前記肘掛けを前記横位置に配置した状態において上下に分割したときの上側部分に連結している、請求項４に記載された浴室用椅子。
【請求項６】
前記線状体は非伸縮性材料によって形成されている、請求項１から５までの何れか１つに記載された浴室用椅子。
【請求項７】
前記線状体の少なくとも一部は、前記フレーム内に配置されている、請求項１から６までの何れか１つに記載された浴室用椅子。
【請求項８】
前記閉脚位置から前記開脚位置へ移動するように前記第１の脚と前記第２の脚とが相互回転するとき、前記肘掛けは前記縦位置で維持するように構成され、
前記線状体は、前記閉脚位置から前記開脚位置へ移動するように前記第１の脚と前記第２の脚とが相互回転するとき、撓んだ状態となるように構成されている、請求項１から７までの何れか１つに記載された浴室用椅子。
【発明の詳細な説明】
【技術分野】
【０００１】
本発明は、肘掛けを備えた折り畳み可能な浴室用椅子に関する。
【背景技術】
【０００２】
例えば、特許文献１には、肘掛けを備えた折り畳み可能な浴室用椅子が開示されている。この浴室用椅子は、左右一対の前脚と、左右一対の後脚と、前脚および後脚を相互回転可能に連結させる連結具と、肘掛けとを備えている。左右一対の前脚のそれぞれの上端は連結フレームによって連結されており、連結フレームに肘掛けが回転可能に設けられている。連結フレームに対して肘掛けが回転することで、肘掛けを水平に延びた位置と鉛直に延びた位置との間で移動させることができる。
【０００３】
特許文献１に開示された浴室用椅子は、前脚の下部と後脚の下部とが接近するように前脚と後脚とを相互回転させることによって、前脚および後脚を閉脚させることができる。逆に、前脚の下部と後脚の下部とが離反するように前脚と後脚とを相互回転させることによって、前脚および後脚を開脚させることができる。
【先行技術文献】
【特許文献】
【０００４】
【特許文献１】特許第５９０５９２８号公報
【発明の概要】
【発明が解決しようとする課題】
【０００５】
ところで、特許文献１に開示された浴室用椅子を折り畳む際、利用者は、まず肘掛けを跳ね上げる。言い換えると、利用者は、まず肘掛けを回転させて、鉛直に延びた位置に移動させる。その後、利用者は、背もたれを持ち上げることにより、前脚および後脚を閉脚させる。このように、上記浴室用椅子では、折り畳む際には、いったん肘掛けを跳ね上げてから、前脚および後脚を閉脚させる作業を行っていた。すなわち、２段階の動作が必要であった。
【０００６】
本発明はかかる点に鑑みてなされたものであり、その目的は、肘掛けを備えた折り畳み可能な浴室用椅子において、折り畳む際の利用者の作業を軽減することである。
【課題を解決するための手段】
【０００７】
本発明に係る浴室用椅子は、第１の脚と、第２の脚と、脚回転軸と、座部と、フレームと、肘掛けと、肘掛け回転軸と、線状体とを備えている。前記第２の脚は、下部が前記第１の脚の下部から前後に離れた位置に設けられている。前記脚回転軸は、前記第１の脚の下部と前記第２の脚の下部とが接近した閉脚位置と、前記第１の脚の下部と前記第２の脚の下部とが離反した開脚位置との間で移動可能なように、前記第１の脚と前記第２の脚とを相互回転可能に連結する。前記座部は、前記第１の脚および前記第２の脚の少なくとも一方に支持されている。前記フレームは、前記第１の脚の上部に接続されている。前記肘掛けは、根元部および先端部を有する。前記肘掛け回転軸は、前記肘掛けの前記先端部が前記根元部の前方に配置される横位置と、前記肘掛けの前記先端部が前記根元部の上方または下方に配置される縦位置との間で移動可能なように、前記肘掛けの前記根元部を前記フレームに回転可能に連結する。前記線状体は、前記第２の脚または前記座部に連結された第１連結点と、前記肘掛けに連結された第２連結点とを有する。側面視において、前記開脚位置のときの前記第１連結点と前記肘掛け回転軸との距離は、前記閉脚位置のときの前記第１連結点と前記肘掛け回転軸との距離よりも短い。前記線状体は、前記開脚位置から前記閉脚位置へ移動するように前記第１の脚と前記第２の脚とが相互回転したとき、前記第２連結点が前記第１連結点側に引っ張られることにより前記肘掛けを前記横位置から前記縦位置に移動させるように構成されている。
【０００８】
本発明に係る浴室用椅子によれば、線状体の第１連結点は、開脚位置から閉脚位置に移動する際の第１の脚と第２の脚との相互回転に伴って、肘掛け回転軸からの距離が長くなる点である。そのため、開脚位置から閉脚位置に移動する際における第１連結点と肘掛け回転軸との距離の差の分、線状体は第２の脚または座部に引っ張られる。そして、線状体が第２の脚または座部に引っ張られることで、線状体は肘掛けを引っ張る。肘掛けは、線状体に引っ張られることで肘掛け回転軸を中心に回転することができ、肘掛けを縦位置に自動で配置することができる。よって、開脚位置から閉脚位置へ移動する際の第１の脚と第２の脚との相互回転に連動して、肘掛けを横位置から縦位置に自動で移動させることができる。したがって、展開した状態の浴室用椅子を折り畳む際、利用者による肘掛けを回転させる作業を省略することができるため、利用者の作業を軽減することができる。
【０００９】
本発明の好ましい一態様によれば、前記第１連結点は前記第２の脚に連結されている。
【００１０】
上記態様によれば、開脚位置から閉脚位置へ移動する際の第１の脚に対する第２の脚の回転に伴い、第２の脚に連結された第１連結点から肘掛け回転軸までの距離が長くなる。そのため、上記の距離が長くなる構成を利用して、開脚位置から閉脚位置へ移動する際に線状体が肘掛けを引っ張ることで、肘掛けを回転させて縦位置に配置することができる。よって、開脚位置から閉脚位置へ移動する際の第１の脚と第２の脚との相互回転に連動して、肘掛けを横位置から縦位置に自動で移動させることができる。
【００１１】
本発明の好ましい他の一態様によれば、前記第１の脚は前脚である。前記第２の脚は後脚である。
【００１２】
上記態様によれば、開脚位置から閉脚位置へ移動する際の前脚に対する後脚の回転に伴い、後脚または座部に連結された線状体の第１連結点における肘掛け回転軸からの距離が長くなる。そのため、上記の距離が長くなる構成を利用して、開脚位置から閉脚位置へ移動する際に線状体が肘掛けを引っ張ることで、肘掛けを回転させて縦位置に配置することができる。よって、開脚位置から閉脚位置へ移動する際の前脚と後脚との相互回転に連動して、肘掛けを横位置から縦位置に自動で移動させることができる。
【００１３】
本発明の好ましい他の一態様によれば、前記縦位置のとき、前記肘掛けの前記先端部は前記根元部の上方に配置されている。前記線状体は、前記肘掛けが前記横位置に配置されているときにおいて、前記肘掛け回転軸の後方に配置される線状後部と、前記肘掛け回転軸の上方に配置される線状上部と、を有している。
【００１４】
上記態様によれば、線状体の一部が肘掛け回転軸の後方および上方に配置されているため、線状体は、第２の脚または座部に引っ張られたときに肘掛けを引っ張る際、肘掛けを上方に向かって引っ張ることができる。そのため、肘掛けは、肘掛け回転軸を中心に上方に向かって回転する。よって、開脚位置から閉脚位置へ移動する際、肘掛けを、横位置から、肘掛けの先端部が根元部の上方に位置する縦位置に移動させ易い。
【００１５】
本発明の好ましい他の一態様によれば、前記第２連結点は、前記肘掛けを前記横位置に配置した状態において上下に分割したときの上側部分に連結している。
【００１６】
上記態様によれば、線状体の第２連結点を肘掛けの上側部分に連結することで、下側部分に配置した場合と比較して、線状体の長さを短くすることができる。よって、コストを削減することができる。
【００１７】
本発明の好ましい他の一態様によれば、前記線状体は非伸縮性材料によって形成されている。
【００１８】
上記態様によれば、開脚位置から閉脚位置に移動する際に、第１連結点から肘掛け回転軸までの距離の差の分、線状体は第２の脚または座部に引っ張られる。ここでは、線状体は非伸縮性材料によって形成されているため、線状体が第２の脚または座部に引っ張られるときに肘掛けを引っ張る際、肘掛けを、上記の距離の差の分、肘掛け回転軸を中心に回転させることができる。
【００１９】
本発明の好ましい他の一態様によれば、前記線状体の少なくとも一部は、前記フレーム内に配置されている。
【００２０】
浴室用椅子は、浴室で使用されるものであり、水、および、石鹸やシャンプーなどのトイレタリー用品が浴室用椅子に付着する。例えば、線状体が水やトイレタリー用品が付着することで、線状体が劣化し易くなる。しかしながら、上記態様によれば、線状体の少なくとも一部はフレーム内に配置されているため、水やトイレタリー用品が線状体に付着し難くなる。よって、線状体を相対的に劣化し難くすることができる。
【００２１】
本発明の好ましい他の一態様によれば、前記閉脚位置から前記開脚位置へ移動するように前記第１の脚と前記第２の脚とが相互回転するとき、前記肘掛けは前記縦位置で維持するように構成されている。前記線状体は、前記閉脚位置から前記開脚位置へ移動するように前記第１の脚と前記第２の脚とが相互回転するとき、撓んだ状態となるように構成されている。
【００２２】
本発明に係る浴室用椅子は、開脚位置で肘掛けを縦位置に配置することで、利用者が横移乗することが可能な椅子である。そのため、折り畳まれた状態の浴室用椅子を展開する際、利用者は横移乗をして浴室用椅子に座ることがあり得る。よって、第１の脚および第２の脚を開脚させたとき、肘掛けは縦位置に配置されていることが好ましい。上記態様では、閉脚位置から開脚位置へ移動するように第１の脚と第２の脚とが相互回転するとき、肘掛けは縦位置で維持するように構成されている。そのため、第１の脚および第２の脚を開脚させたときに肘掛けは縦位置に配置されているため、利用者は、肘掛けを縦位置に移動させる作業をすることなく、横移乗をして浴室用椅子に座ることができる。
【発明の効果】
【００２３】
本発明によれば、肘掛けを備えた折り畳み可能な浴室用椅子において、折り畳む際の利用者の作業を軽減することができる。
【図面の簡単な説明】
【００２４】
【図１】実施形態に係る浴室用椅子の斜視図である。
【図２】浴室用椅子の正面図である。
【図３】浴室用椅子の背面図である。
【図４】浴室用椅子の平面図である。
【図５】浴室用椅子の展開した状態を示す左側面図である。
【図６】浴室用椅子の左側面図であり、展開した状態から折り畳まれた状態へ移行する途中の状態を示す図である。
【図７】浴室用椅子の折り畳まれた状態を示す左側面図である。
【図８】浴室用椅子の斜視図である。
【図９】浴室用椅子の斜視図である。
【図１０】他の実施形態に係る浴室用椅子の展開した状態を示す左側面図である。
【図１１】他の実施形態に係る浴室用椅子の折り畳まれた状態を示す左側面図である。
【発明を実施するための形態】
【００２５】
以下、図面を参照しながら、本発明に係る浴室用椅子について説明する。以下に説明する実施形態は、本発明の一実施形態に過ぎず、当然ながら本発明を限定することを意図したものではない。
【００２６】
＜実施形態＞
図１は、本実施形態に係る浴室用椅子１００の斜視図である。以下の説明では、前、後、左、右、上、下とは、浴室用椅子１００に座る利用者から見た前、後、左、右、上、下をそれぞれ意味するものとする。各図面中における符号Ｆ、Ｒｒ、Ｌ、Ｒ、Ｕ、Ｄは、それぞれ前、後、左、右、上、下を表す。ただし、これらの方向は説明の便宜上定めた方向に過ぎず、浴室用椅子１００の態様を何ら限定するものではない。
【００２７】
以下、浴室用椅子１００のことを単に椅子１００と称することとする。本実施形態に係る椅子１００は、折り畳むことが可能なものである。椅子１００は、主に浴室内で使用されるものである。椅子１００は、例えば高齢者や要介護者などの利用者が浴室内においてシャワーを浴びるときなどに利用される。また、椅子１００は、利用者が横移乗することが可能なものである。なお、椅子１００の利用者は、高齢者または要介護者に限定されない。
【００２８】
図２、図３、図４は、それぞれ椅子１００の正面図、背面図、平面図である。図５、図６、図７は、それぞれ椅子１００の展開した状態、椅子１００の展開した状態から折り畳まれた状態へ移行する途中の状態、椅子１００の折り畳まれた状態を示す左側面図である。椅子１００は、展開した状態で使用され、非使用時には折り畳まれる。なお、本実施形態では、椅子１００が展開した状態とは、後述の前脚１０および後脚２０が閉脚し、後述の肘掛け８０が横位置Ｐ２１（図５参照）に配置された状態のことをいう。椅子１００が折り畳まれた状態とは、前脚１０および後脚２０が開脚し、肘掛け８０が縦位置Ｐ２２（図７参照）に配置された状態のことをいう。図８、図９は、それぞれ椅子１００の斜視図である。
【００２９】
図１に示すように、椅子１００は、前脚１０と、後脚２０と、脚回転軸３０と、座部５０と、背もたれ７０と、肘掛け８０と、線状体９０（図５参照）とを備えている。
【００３０】
以下の説明において、各部位および部品の位置は、特に明記されていない限り、椅子１００が展開している状態の位置を示している。図２に示すように、前脚１０は左右に一対設けられたパイプ状のものである。前脚１０は、本発明の第１の脚の一例である。本実施形態では、左の前脚１０と右の前脚１０とは、左右対称の形状を有している。図５に示すように、前脚１０は、前斜め下向きに延びる下前脚１１と、下前脚１１から後斜め上向きに延びる上前脚１２と、を有している。下前脚１１の下端には、ゴム製の滑り止めキャップ３３が嵌め込まれている。なお、本実施形態では、前脚１０の下部とは、下前脚１１のことをいう。
【００３１】
図３に示すように、左右の前脚１０は、連結フレーム１５によって互いに連結されている。連結フレーム１５は、左右の前脚１０の上部に接続されている。連結フレーム１５は、本発明のフレームの一例である。連結フレーム１５は、パイプ状のものである。なお、連結フレーム１５の構成は特に限定されない。本実施形態では、連結フレーム１５は、図５に示すように、左右の前脚１０の上前脚１２から後斜め上向きに延びた左右一対の縦フレーム１６と、図３に示すように、左の縦フレーム１６と右の縦フレーム１６とに架け渡された横フレーム１７とを有している。なお、左右一対の前脚１０と、連結フレーム１５とは、別体であってもよいし、一体であってもよい。本実施形態では、連結フレーム１５、すなわち左右の縦フレーム１６および横フレーム１７は、内部に空間を有している。また、左右の前脚１０は、それぞれ内部に空間を有している。左右の前脚１０内の空間、および、連結フレーム１５内の空間は、互いに連通している。
【００３２】
図５に示すように、後脚２０は、下部が前脚１０の下部から前後に離れた位置（ここでは、後方に離れた位置）に設けられている。側面視において、後脚２０の少なくとも一部（ここでは、下部）が前脚１０の後方に配置されている。図３に示すように、後脚２０は左右に一対設けられたパイプ状の部材である。後脚２０は、本発明の第２の脚の一例である。本実施形態では、左の後脚２０と、右の後脚２０とは、左右対称の形状を有している。図５に示すように、後脚２０は、後斜め下向きに延びた下後脚２１と、下後脚２１から前斜め上向きに延びた上後脚２２と、を有している。下後脚２１の下端には、ゴム製の滑り止めキャップ３７が嵌め込まれている。なお、本実施形態では、後脚２０の下部とは、下後脚２１のことをいう。
【００３３】
詳しい説明は省略するが、本実施形態では、前脚１０および後脚２０は、それぞれ伸縮可能であり、長さ調整が可能である。左右の前脚１０の長さ、および、左右の後脚２０の長さを調整することで、座部５０の高さを調整することができる。
【００３４】
脚回転軸３０は、前脚１０と後脚２０とを相互回転可能に連結する。脚回転軸３０は、脚回転軸３０を中心にして、前脚１０の下部と後脚２０の下部とを相対的に接近または離反させるものである。本実施形態では、図２に示すように、前脚１０および後脚２０はそれぞれ左右に一対設けられているため、脚回転軸３０も左右に一対設けられている。ここでは、脚回転軸３０は左右方向に延びた部材であり、図５に示すように、前脚１０の上前脚１２と、後脚２０の上後脚２２とを連結している。前脚１０は、脚回転軸３０を中心にして後脚２０に対して回転可能であり、後脚２０は、脚回転軸３０を中心にして前脚１０に対して回転可能である。本実施形態では、前脚１０の下前脚１１と後脚２０の下後脚２１とが接近するように、脚回転軸３０を中心に前脚１０と後脚２０を相互回転させることによって、図７に示すように、椅子１００を折り畳むことができる。逆に、前脚１０の下前脚１１と後脚２０の下後脚２１とが離反するように、脚回転軸３０を中心に前脚１０と後脚２０を相互回転させることによって、図５に示すように、椅子１００を展開させることができる。
【００３５】
本実施形態では、図５に示すように、前脚１０の下部と後脚２０の下部とが離反したとき、言い換えると、前脚１０の下部と、後脚２０の下部とが離反するように前脚１０と後脚２０とを相互回転させた後の前脚１０および後脚２０の位置を、開脚位置Ｐ１１と称する。開脚位置Ｐ１１は、椅子１００が展開されたときの前脚１０および後脚２０の位置である。図７に示すように、前脚１０の下部と後脚２０の下部とが接近したとき、言い換えると、前脚１０の下部と、後脚２０の下部とが接近するように前脚１０と後脚２０とを相互回転させた後の前脚１０および後脚２０の位置を、閉脚位置Ｐ１２と称する。閉脚位置Ｐ１２は、椅子１００が折り畳まれたときの前脚１０および後脚２０の位置である。図５および図７に示すように、開脚位置Ｐ１１および閉脚位置Ｐ１２のとき、前脚１０と後脚２０とは交差している。前脚１０と後脚２０とを脚回転軸３０を中心に相互回転させることで、開脚位置Ｐ１１から閉脚位置Ｐ１２に移動させたり、閉脚位置Ｐ１２から開脚位置Ｐ１１に移動させたりすることができる。
【００３６】
本実施形態では、図８に示すように、左の前脚１０と右の前脚１０との間には、第１支持バー４１および第１連結バー４４が架け渡されている。第１支持バー４１および第１連結バー４４は、何れも左右方向に延びており、左の前脚１０と右の前脚１０とを連結している。第１支持バー４１は、第１連結バー４４の後斜め上方に配置されており、椅子１００が展開しているときに座部５０を支持するように構成されている。第１支持バー４１は、前脚１０の上前脚１２に接続されている。第１連結バー４４は、前脚１０の下前脚１１に接続されていてもよいし、上前脚１２に接続されていてもよい。
【００３７】
本実施形態では、後脚２０は、第２支持バー４２と、第２連結バー４５とを有している。第２支持バー４２および第２連結バー４５は、左の後脚２０と右の後脚２０との間に架け渡されている。第２支持バー４２および第２連結バー４５は、何れも左右方向に延びており、左の後脚２０と右の後脚２０とを連結している。第２支持バー４２は、第２連結バー４５の前斜め上方に配置されており、椅子１００が展開しているときに座部５０を支持するように構成されている。第２支持バー４２は、後脚２０の上後脚２２に接続されている。第２連結バー４５は、後脚２０の下後脚２１に接続されていてもよいし、上後脚２２に接続されていてもよい。
【００３８】
図９に示すように、座部５０は、左右一対の後ブラケット６１を有している。左右一対の後ブラケット６１は、座部５０の裏面に設けられている。後ブラケット６１には、第２支持バー４２が回転自在に支持されている。そのため、座部５０は、後ブラケット６１および第２支持バー４２を介して、後脚２０に対して回転可能に構成されている。
【００３９】
また、座部５０は、さらに左右一対の前ブラケット６２と、連結軸６３とを有している。左右一対の前ブラケット６２は、座部５０の裏面に設けられている。前ブラケット６２は、後ブラケット６１よりも前方に配置され、後ブラケット６１よりも左右方向の中央側に配置されている。前ブラケット６２には、左右方向に延びた連結軸６３が取り付けられている。
【００４０】
また、本実施形態では、座部５０は、さらにリンク６６を有している。リンク６６は、前ブラケット６２に取り付けられた連結軸６３と第１連結バー４４とを連結するものである。連結軸６３は左右に一対設けられているため、リンク６６も左右に一対設けられている。リンク６６は、展開している椅子１００を折り畳むとき、および、折り畳まれた椅子１００を展開するときに、後脚２０に対する座部５０の回転と、脚回転軸３０を中心とした前脚１０と後脚２０との相互回転とを連動させる部材である。
【００４１】
本実施形態では、図８に示すように、座部５０は、さらに左右一対の被支持部６４を有している。左右一対の被支持部６４は、座部５０の裏面に設けられている。被支持部６４は、後ブラケット６１（図９参照）および前ブラケット６２よりも後方に配置されており、座部５０の裏面から突出している。被支持部６４は、椅子１００が展開したときに第１支持バー４１と接触し、第１支持バー４１に支持されるように構成されている。よって、椅子１００が展開したとき、座部５０は被支持部６４および第１支持バー４１を介して、前脚１０に支持される。
【００４２】
また、図５に示すように、椅子１００が展開しているときに、後脚２０の上後脚２２の一部２２ａは座部５０から下方に離間している。ここで、この部分を離間部２２ａと称する。後脚２０は、離間部２２ａの上に設けられた補強部２３を有している。図８に示すように、補強部２３は、椅子１００が展開したときに第１支持バー４１と接触し、第１支持バー４１に支持されるように構成されている。そのため、椅子１００が展開したときに、第１支持バー４１は補強部２３を介して後脚２０によって支持される。
【００４３】
図４に示すように、座部５０は、前脚１０および後脚２０に支持されている。しかしながら、座部５０は、前脚１０および後脚２０の一方に支持されていてもよい。座部５０は、上面に形成され、利用者が座る座面５１を有している。座部５０の材料は特に限定されないが、本実施形態では、座部５０は合成樹脂製のブロー成形品である。座部５０の後端部には前方に凹んだ凹部５０ａが形成されている。凹部５０ａは、座部５０の左右方向の中央に形成されている。凹部５０ａの内側に把手５６が配置されている。把手５６は座部５０に固定されている。本実施形態では、図７に示すように、椅子１００が折り畳まれているとき、座部５０は、座面５１が前方を向くように配置されている。しかしながら、椅子１００が折り畳まれているとき、座部５０は、座面５１が後方を向くように配置されていてもよい。
【００４４】
図８に示すように、背もたれ７０は、連結フレーム１５の横フレーム１７に取り付けられている。本実施形態では、背もたれ７０は横フレーム１７と別体であるが、背もたれ７０と横フレーム１７とは一体的に形成されてもよい。図２に示すように、背もたれ７０には、孔７１が形成されている。利用者は、この孔７１に指を挿入して背もたれ７０を把持することによって、椅子１００を片手で持ち上げたり、片手で移動させたりすることが可能である。ここでは、背もたれ７０の下端部には、上方に凹んだ凹部７２が形成されている。
【００４５】
図５に示すように、椅子１００は、操作ハンドル７５を備えている。操作ハンドル７５は、折り畳まれた椅子１００が展開する際、または、展開している椅子１００を折り畳む際、利用者が力を加えるものである。例えば、操作ハンドル７５に対して鉛直方向の下向きに力を加えることで、折り畳まれた椅子１００を展開させることができる。本実施形態では、操作ハンドル７５は、背もたれ７０の後方に設けられている。ここでは、図３に示すように、連結フレーム１５の横フレーム１７の中央には、ブラケット７６が設けられている。このブラケット７６には、左右方向に延びた軸７７（図５参照）が設けられている。操作ハンドル７５の前端は、軸７７に設けられており、軸７７と共に回転する。ここでは、操作ハンドル７５は、その前端を中心にして軸７７の回りに回転可能であり、操作ハンドル７５を回転させることで、上げ下げすることができる。
【００４６】
本実施形態では、操作ハンドル７５は、ワイヤ（図示せず）を介して左右一対のピン７８（図３参照）が接続されている。図３に示すように、左右一対のピン７８は、左右一対の前脚１０の上前脚１２の間であって、第１支持バー４１の両端部に設けられた収容部材４８から左右方向の中心に向かって突出可能に設けられている。この収容部材４８よりも左右方向の中央側であって、座部５０の裏面に設けれた左右一対の被支持部６４には、それぞれフック４９が設けられている。ピン７８が収容部材４８から突出しているとき、フック４９と係合する。ここでは、操作ハンドル７５の後端が下方の位置にあると、ピン７８がフック４９と係合し、操作ハンドル７５を上方に持ち上げると、ピン７８はフック４９から外れる。図示は省略するが、左右一対の収容部材４８の内部には、バネが設けられている。当該バネは、椅子１００が折り畳んだ状態のときに折り畳みの状態を維持するようにピン７８を付勢し、椅子１００が展開した状態のときに展開状態を維持するように、ピン７８がフック４９と係合するようにピン７８を付勢するように構成されている。よって、椅子１００が折り畳まれている状態のときには、操作ハンドル７５を操作しない限り、折り畳まれた状態が維持される。一方、椅子１００が展開している状態のときには、操作ハンドル７５を操作しない限り、展開している状態が維持される。
【００４７】
図１に示すように、肘掛け８０は、左右に一対設けられている。左の肘掛け８０は、連結フレーム１５の左の縦フレーム１６に回転可能に取り付けられている。右の肘掛け８０は、連結フレーム１５の右の縦フレーム１６に回転可能に取り付けられている。詳しくは、連結フレーム１５は、左右の縦フレーム１６から前方に突出したブラケット１８を有している。肘掛け８０は、ブラケット１８に取り付けられている。
【００４８】
本実施形態では、左の肘掛け８０と右の肘掛け８０とは、左右対称の形状を有している。図５に示すように、肘掛け８０は、根元部８０ａと、先端部８０ｂとを有している。図１に示すように、肘掛け８０の根元部８０ａが連結フレーム１５のブラケット１８に取り付けられており、根元部８０ａが連結フレーム１５に支持されている。なお、本実施形態では、肘掛け８０の先端部８０ｂは、他の部材によって支持されていない。
【００４９】
肘掛け８０は、根元部８０ａを中心に上方または下方に回転可能に構成されている。本実施形態では、椅子１００は、肘掛け回転軸８５を備えている。肘掛け回転軸８５は、肘掛け８０の根元部８０ａを連結フレーム１５（詳しくは、ブラケット１８）に回転可能に連結している。肘掛け８０は、この肘掛け回転軸８５を中心にして連結フレーム１５に対して回転可能である。本実施形態では、肘掛け８０は左右に一対設けられているため、肘掛け回転軸８５も左右に一対設けられている。肘掛け回転軸８５は、左右方向に延びている。
【００５０】
本実施形態では、図５および図７に示すように、肘掛け８０は、肘掛け回転軸８５を軸にして回転することで、横位置Ｐ２１と縦位置Ｐ２２との間で移動可能である。肘掛け８０は、いわゆる跳ね上げ式の肘掛けである。ここで、横位置Ｐ２１とは、図５に示すように、肘掛け８０の先端部８０ｂが根元部８０ａの前方に配置される位置である。横位置Ｐ２１のとき、肘掛け８０は連結フレーム１５から前方に向かって延びている。なお、横位置Ｐ２１のとき、肘掛け８０は、水平方向に延びていてもよいし、水平方向から若干上方または下方に傾いていてもよい。例えば、横位置Ｐ２１のとき、先端部８０ｂは、根元部８０ａと同じ高さの位置に配置されていてもよいし、根元部８０ａよりも若干高い位置に配置されていてもよいし、根元部８０ａよりも若干低い位置に配置されていてもよい。
【００５１】
縦位置Ｐ２２とは、図７に示すように、肘掛け８０の先端部８０ｂが根元部８０ａの上方に配置される位置である。縦位置Ｐ２２のとき、肘掛け８０は上下方向に延びている。なお、縦位置Ｐ２２のとき、肘掛け８０は、垂直方向に延びていてもよいし、垂直方向から若干前方または後方に傾いていてもよい。例えば縦位置Ｐ２２のとき、先端部８０ｂの前後方向の位置は、根元部８０ａの前後方向の位置と同じであってもよいし、根元部８０ａよりも若干前方に位置していてもよいし、根元部８０ａよりも若干後方に位置していてもよい。
【００５２】
本実施形態では、図５に示すように、前脚１０および後脚２０の位置が開脚位置Ｐ１１のとき、肘掛け８０は横位置Ｐ２１に配置されることが可能である。また、詳しい図示は省略するが、開脚位置Ｐ１１のとき、肘掛け８０は縦位置Ｐ２２に配置されることが可能である。開脚位置Ｐ１１のとき、利用者は肘掛け８０を跳ね上げることが可能である。ここでは、開脚位置Ｐ１１において、肘掛け８０が横位置Ｐ２１に配置されているとき、側面視において肘掛け８０と座部５０との間（言い換えると、肘掛け８０の先端部８０ｂと座部５０との間）には、空間Ｓが形成されている。開脚位置Ｐ１１において、肘掛け８０が横位置Ｐ２１に配置されているとき、側面視において肘掛け８０と座部５０との間には、他の部材が配置されていない。また、図示は省略するが、開脚位置Ｐ１１において、肘掛け８０が縦位置Ｐ２２に配置されているとき、側面視において座部５０の上方には、他の部材が配置されておらず、空間Ｓが形成されたままの状態である。そのため、座部５０の座面５１に座っている利用者は、横移乗することができる。また、利用者は、横移乗しながら座面５１に座ることができる。
【００５３】
本実施形態では、図５および図７に示すように、開脚位置Ｐ１１から閉脚位置Ｐ１２へ移動するように前脚１０と後脚２０とが相互回転したとき、この相互回転に連動して、肘掛け８０は横位置Ｐ２１から縦位置Ｐ２２へと移動する。ここでは、図５に示すように、後脚２０と肘掛け８０とは、線状体９０によって繋がっている。
【００５４】
次に、線状体９０について説明する。線状体９０は、開脚位置Ｐ１１から閉脚位置Ｐ１２へ移動するように前脚１０と後脚２０とが相互回転したとき、第２連結点Ｐｔ２が第１連結点Ｐｔ１側に引っ張られることにより、肘掛け８０を横位置Ｐ２１から縦位置Ｐ２２に移動させるように構成されている。ここで、「線状体」とは、少なくとも一部が可撓性を有する部材で形成されているものである。例えば、「線状体」とは、開脚位置Ｐ１１から閉脚位置Ｐ１２へ移動するように前脚１０と後脚２０とが相互回転したとき、少なくとも一部が撓むことが可能なものである。また、「線状体」は、紐状の部材である。線状体９０は、可撓性を有する部材であって、非伸縮性材料によって形成されている。ここで、非伸縮性材料とは、肘掛け８０が横位置Ｐ２１から縦位置Ｐ２２へ移動する際に、長さが一定のものである。非伸縮性材料とは、非弾性体の材料であり、伸縮不能な材料である。ここで、「伸縮不能」には、完全に伸縮しない場合はもちろんのこと、多少伸縮する場合も含まれるものとする。また、「長さが一定」には、長さが完全に一定の場合はもちろんのこと、線状体９０が多少伸縮することで、長さが若干長くなったり短くなったりした場合も含まれるものとする。なお、線状体９０の具体的な種類は特に限定されない。本実施形態では、線状体９０はワイヤであるが、いわゆる紐であってもよいし、ベルトであってもよい。
【００５５】
線状体９０は、図５に示すように、第１連結点Ｐｔ１と、第２連結点Ｐｔ２とを有している。第１連結点Ｐｔ１は、線状体９０の一端に設けられた点であり、後脚２０に連結された点である。第２連結点Ｐｔ２は、線状体９０の他端に設けられた点であり、肘掛け８０に連結された点である。線状体９０は、後脚２０および肘掛け８０に接続されている。ここで、第１連結点Ｐｔ１が連結される位置は、開脚位置Ｐ１１のときの第１連結点Ｐｔ１から肘掛け回転軸８５までの距離が、閉脚位置Ｐ１２のときの第１連結点Ｐｔ１から肘掛け回転軸８５までの距離よりも短いという条件を満たす位置である。本実施形態では、上記条件を満たすために、第１連結点Ｐｔ１は、脚回転軸３０を境界にして後脚２０を分割したときの下後脚２１側の部位に連結されている。ここでは、第１連結点Ｐｔ１は、一例として後脚２０の補強部２３に連結されている。図５、図６、図７に示すように、前脚１０および後脚２０の位置が開脚位置Ｐ１１から閉脚位置Ｐ１２へ移行する際、後脚２０の補強部２３は、前脚１０の上前脚１２から徐々に下方に離れていく。そのため、前脚１０および後脚２０の位置が開脚位置Ｐ１１から閉脚位置Ｐ１２へ移動する際、肘掛け回転軸８５から第１連結点Ｐｔ１までの距離は、徐々に長くなる。本実施形態では、図５に示すように、開脚位置Ｐ１１における肘掛け回転軸８５から第１連結点Ｐｔ１までの距離は、第１の距離Ｄ１である。図７に示すように、閉脚位置Ｐ１２における肘掛け回転軸８５から第１連結点Ｐｔ１までの距離は、第１の距離Ｄ１よりも長い第２の距離Ｄ２である。
【００５６】
図５に示すように、線状体９０の第２連結点Ｐｔ２は、肘掛け８０の根元部８０ａの上部に連結している。肘掛け８０を横位置Ｐ２１に配置した状態において上下に分割したときの肘掛け８０の上側の部分を上側部分８０ｃ、および、肘掛け８０の下側の部分を下側部分８０ｄとしたとき、第２連結点Ｐｔ２は、上側部分８０ｃに連結している。しかしながら、第２連結点Ｐｔ２は、根元部８０ａの上部以外の肘掛け８０の部位に連結していてもよく、例えば根元部８０ａの下部に連結していてもよいし、先端部８０ｂの上部または下部に連結していてもよい。第２連結点Ｐｔ２は、肘掛け８０の下側部分８０ｄに連結していてもよい。
【００５７】
本実施形態では、線状体９０は、肘掛け回転軸８５の後方および上方を通過するようにして配置されている。線状体９０は、さらに第１端部９０ａと、第２端部９０ｂと、線状上部９０ｃと、線状後部９０ｄと、線状接続部９０ｅとを有している。第１端部９０ａは、線状体９０の一端部（ここでは下端部）を構成しており、上述の第１連結点Ｐｔ１と連続している。第２端部９０ｂは、線状体９０の他端部（ここでは上端部）を構成しており、上述の第２連結点Ｐｔ２と連続している。線状上部９０ｃは、肘掛け回転軸８５の上方に配置され、第２端部９０ｂと連続している。線状後部９０ｄは、肘掛け回転軸８５の後方に配置され、線状上部９０ｃと連続している。線状接続部９０ｅは、第１端部９０ａおよび線状後部９０ｄと連続しており、第１端部９０ａと線状後部９０ｄとの間に位置している。
【００５８】
本実施形態では、線状体９０の少なくとも一部は、連結フレーム１５内に配置されている。詳しくは、開脚位置Ｐ１１のとき、線状体９０は、後脚２０の補強部２３の内部、連結フレーム１５の縦フレーム１６の内部、および、肘掛け８０の内部に配置されている。しかしながら、開脚位置Ｐ１１のとき、線状体９０の少なくとも一部は外部に露出していてもよい。ここでは、図７に示すように、閉脚位置Ｐ１２のとき、線状体９０の線状接続部９０ｅの一部が外部に露出しており、線状体９０の他の部位は、後脚２０の補強部２３の内部、連結フレーム１５の縦フレーム１６の内部、および、肘掛け８０の内部に配置されている。
【００５９】
以上、椅子１００の構成について説明した。次に、椅子１００の展開操作および折り畳み操作の一例について説明する。
【００６０】
図５に示すように、展開した状態の椅子１００では、例えば肘掛け８０は横位置Ｐ２１に配置されている。展開した状態の椅子１００を折り畳むときには、背もたれ７０および操作ハンドル７５を手で掴む。このとき、操作ハンドル７５が上方に回転し、ピン７８（図３参照）がフック４９（図３参照）から外れる。次に、背もたれ７０を持ち上げると、座部５０は、第１支持バー４１を中心に回転し、図７に示すように、座部５０の後部が上方に移動する一方、座部５０の前部が下方に移動する。本実施形態では、椅子１００が折り畳まれた状態のとき、座部５０は、座面５１が前方を向いた状態で配置される。
【００６１】
本実施形態では、図９に示すように、座部５０の前部はリンク６６を介して第１連結バー４４に連結されているため、座部５０の前部が下方に移動すると、前脚１０はリンク６６および第１連結バー４４から後斜め下向きの力を受ける。その結果、図７に示すように、前脚１０と後脚２０とが接近するように、前脚１０は脚回転軸３０を中心に回転する。椅子１００を持ち上げると、前脚１０および後脚２０には自重が作用する。それらの自重によっても、前脚１０および後脚２０は脚回転軸３０を中心として相互回転する。このように、前脚１０および後脚２０が相互回転すると、椅子１００は折り畳まれ、折り畳まれた状態で椅子１００は維持される。
【００６２】
本実施形態では、展開した状態の椅子１００を折り畳む際の前脚１０および後脚２０の動作に連動して、肘掛け８０が横位置Ｐ２１から縦位置Ｐ２２へ移動する。詳しくは、図５、図６、図７に示すように、開脚位置Ｐ１１から閉脚位置Ｐ１２へ移動するように前脚１０と後脚２０とが相互回転する際、後脚２０の離間部２２ａは、前脚１０の上前脚１２から徐々に下方に離れるため、肘掛け回転軸８５から後脚２０に連結された線状体９０の第１連結点Ｐｔ１までの距離は徐々に長くなる。このように、上記距離が長くなることで、線状体９０は、後脚２０の動きに連動して下方に引っ張られる状態となる。そして、線状体９０が引っ張られることで、肘掛け８０も引っ張られる状態となる。本実施形態では、線状体９０は、肘掛け回転軸８５の上方および後方を通過するように配置されているため、線状体９０が引っ張られると、線状体９０は肘掛け８０を後斜め上方に向かって引っ張る。そのため、線状体９０によって肘掛け８０は、肘掛け回転軸８５を中心に上方に回転する。その結果、図７に示すように肘掛け８０の位置が縦位置Ｐ２２となる。
【００６３】
椅子１００が折り畳まれた状態であるとき、肘掛け８０は、縦位置Ｐ２２に配置された状態となる。折り畳まれた椅子１００を展開させるときには、まず利用者は、背もたれ７０の後部に手を置き、背もたれ７０の後部に対して鉛直方向の下向きの力を加える。このとき、上述の折り畳み動作と逆の動作が行われ、前脚１０と後脚２０とが脚回転軸３０を中心にして相互回転する。その結果、前脚１０の下部と後脚２０の下部とが徐々に離間し、図５に示すように椅子１００を展開した状態にすることができる。
【００６４】
なお、折り畳まれた椅子１００を展開させるとき、すなわち、閉脚位置Ｐ１２から開脚位置Ｐ１１に移動させるように前脚１０と後脚２０とが相互回転するとき、肘掛け８０は縦位置Ｐ２２で維持するように構成されている。肘掛け８０は、閉脚位置Ｐ１２から開脚位置Ｐ１１に移動する際の前脚１０および後脚２０の動作に連動して、縦位置Ｐ２２から横位置Ｐ２１に移動しない。本実施形態では、図７に示すように、閉脚位置Ｐ１２のとき、線状体９０は張った状態となる。前脚１０および後脚２０が閉脚位置Ｐ１２から開脚位置Ｐ１１に移動する際、肘掛け回転軸８５から線状体９０の第１連結点Ｐｔ１までの距離は、徐々に短くなる。そのため、閉脚位置Ｐ１２から開脚位置Ｐ１１に移動させるように前脚１０と後脚２０とが相互回転するとき、線状体９０は撓んだ状態となる。このとき、肘掛け８０は、縦位置Ｐ２２において線状体９０によって引っ張られた状態とならずに、縦位置Ｐ２２に維持される状態となる。
【００６５】
以上、本実施形態では、図５および図７に示すように、線状体９０の第１連結点Ｐｔ１は、開脚位置Ｐ１１から閉脚位置Ｐ１２に移動する際の前脚１０と後脚２０との相互回転に伴って、肘掛け回転軸８５からの距離が第１の距離Ｄ１から第２の距離Ｄ２になる点である。そのため、椅子１００を折り畳む際の肘掛け回転軸８５から第１連結点Ｐｔ１までの距離が長くなる構成を利用して、開脚位置Ｐ１１から閉脚位置Ｐ１２に移動する際に、第１の距離Ｄ１と第２の距離Ｄ２の差の分、線状体９０は後脚２０に引っ張られる。そして、線状体９０が後脚２０に引っ張られることで、線状体９０は肘掛け８０を引っ張る。肘掛け８０は、線状体９０に引っ張られることで肘掛け回転軸８５を中心に回転することができ、図７に示すように、肘掛け８０を縦位置Ｐ２２に自動で配置することができる。よって、開脚位置Ｐ１１から閉脚位置Ｐ１２へ移動する際の前脚１０と後脚２０との相互回転に連動して、肘掛け８０を横位置Ｐ２１から縦位置Ｐ２２に自動で移動させることができる。したがって、展開した状態の椅子１００を折り畳む際、利用者による肘掛け８０を回転させる作業を省略することができるため、利用者の作業を軽減することができる。
【００６６】
本実施形態では、図５に示すように、線状体９０は、肘掛け回転軸８５の後方に配置される線状後部９０ｄと、肘掛け回転軸８５の上方に配置される線状上部９０ｃと、を有している。このことによって、線状体９０の一部が肘掛け回転軸８５の後方および上方に配置されているため、線状体９０は、後脚２０に引っ張られたときに肘掛け８０を引っ張る際、肘掛け８０を上方に向かって引っ張ることができる。そのため、肘掛け８０は、肘掛け回転軸８５を中心に上方に向かって回転する。よって、開脚位置Ｐ１１から閉脚位置Ｐ１２へ移動する際、肘掛け８０を横位置Ｐ２１から縦位置Ｐ２２（図７参照）に移動させ易い。
【００６７】
本実施形態では、線状体９０の第２連結点Ｐｔ２は、肘掛け８０を横位置Ｐ２１に配置した状態において上下に分割したときの上側部分８０ｃに連結している。このことによって、仮に第２連結点Ｐｔ２を下側部分８０ｄに連結した場合と比較して、線状体９０の長さを短くすることができる。よって、コストを削減することができる。
【００６８】
本実施形態では、線状体９０は、非伸縮性材料によって形成されている。このことによって、前脚１０および後脚２０が開脚位置Ｐ１１から閉脚位置Ｐ１２に移動する際に、第１の距離Ｄ１（図５参照）と第２の距離Ｄ２（図７参照）の差の分、線状体９０は後脚２０に引っ張られる。本実施形態では、線状体９０が非伸縮性材料によって形成されているため、線状体９０が後脚２０に引っ張られるときに肘掛け８０を引っ張る際、肘掛け８０を、第１の距離Ｄ１と第２の距離Ｄ２の差の分、肘掛け回転軸８５を中心に回転させることができる。
【００６９】
浴室用の椅子１００は、浴室で使用されるものであり、水、および、石鹸やシャンプーなどのトイレタリー用品が椅子１００に付着する。例えば線状体９０が水やトイレタリー用品に付着することで、線状体９０が劣化し易くなる。しかしながら、本実施形態では、線状体９０の少なくとも一部は、連結フレーム１５（詳しくは、縦フレーム１６）内に配置されている。よって、水やトイレタリー用品が線状体９０に付着し難くなる。よって、線状体９０を相対的に劣化し難くすることができる。
【００７０】
本実施形態に係る椅子１００は、開脚位置Ｐ１１で肘掛け８０を縦位置Ｐ２２に配置することで、利用者が横移乗することが可能な椅子である。そのため、折り畳まれた状態の椅子１００を展開させた後、利用者は横移乗をして椅子１００に座ることがあり得る。よって、椅子１００を展開させたとき、肘掛け８０は縦位置Ｐ２２に配置されていることが好ましい。本実施形態では、前脚１０および後脚２０を閉脚位置Ｐ１２から開脚位置Ｐ１１へ移動するように前脚１０と後脚２０とが相互回転するとき、肘掛け８０は縦位置Ｐ２２で維持するように構成されている。線状体９０は、閉脚位置Ｐ１２から開脚位置Ｐ１１へ移動するように前脚１０と後脚２０とが相互回転するとき、撓んだ状態となるように構成されている。これらのことによって、前脚１０および後脚２０を開脚させたときに肘掛け８０は縦位置Ｐ２２に配置されているため、利用者は、肘掛け８０を縦位置Ｐ２２に移動させる作業をすることなく、横移乗をして椅子１００に座ることができる。
【００７１】
以上、本実施形態に係る椅子１００について説明した。次に、他の実施形態に係る浴室用椅子について説明する。以下の説明において、既に説明した構成と同様の構成には同じ符号を使用し、その説明は適宜省略する。
【００７２】
＜他の実施形態＞
上記実施形態では、肘掛け８０の縦位置Ｐ２２とは、肘掛け８０が上方に延びた状態であり、肘掛け８０の先端部８０ｂが根元部８０ａの上方に配置された位置であった。しかしながら、本発明に係る縦位置は、肘掛け８０が下方に延びた状態の位置であってもよい。図１０、図１１は、それぞれ他の実施形態に係る椅子２００の展開した状態、椅子２００の折り畳まれた状態を示す左側面図である。図１１に示すように、本実施形態では、縦位置Ｐ２２Ａは、肘掛け８０の先端部８０ｂが根元部８０ａの下方に配置された位置である。
【００７３】
本実施形態では、肘掛け８０は、肘掛け回転軸８５を中心にして回転することで、横位置Ｐ２１（図１０参照）と縦位置Ｐ２２Ａ（図１１）との間で移動可能である。
【００７４】
本実施形態では、前脚１０および後脚２０における開脚位置Ｐ１１から閉脚位置Ｐ１２への移動に連動して、肘掛け８０は、横位置Ｐ２１から縦位置Ｐ２２Ａへと移動する。図１０に示すように、後脚２０と肘掛け８０とは、線状体１９０によって繋がっている。線状体１９０は、上記実施形態の線状体９０と同じ部材によって形成されており、非伸縮性材料によって形成されている。線状体１９０は、可撓性を有する部材であって、伸縮不能な部材によって形成されている。肘掛け８０が横位置Ｐ２１から縦位置Ｐ２２Ａへと移動する際、線状体１９０の長さは一定である。線状体１９０は、後脚２０に連結された第１連結点Ｐｔ１と、肘掛け８０に連結された第２連結点Ｐｔ２Ａとを有している。第１連結点Ｐｔ１は、上記実施形態の第１連結点Ｐｔ１と同じ点であり、後脚２０の補強部２３に連結された点である。第２連結点Ｐｔ２Ａは、肘掛け８０の根元部８０ａの下部に連結している。第２連結点Ｐｔ２Ａは、肘掛け８０の下側部分８０ｄに連結している。しかしながら、第２連結点Ｐｔ２Ａは、肘掛け８０の根元部８０ａの上部に連結していてもよいし、先端部８０ｂの上部または下部に連結していてもよい。第２連結点Ｐｔ２Ａは、肘掛け８０の上側部分８０ｃに連結していてもよい。
【００７５】
本実施形態では、線状体１９０は、肘掛け回転軸８５の下方を通過するようにして配置されている。線状体１９０は、さらに第１端部１９０ａと、第２端部１９０ｂと、線状下部１９０ｃと、線状接続部１９０ｄとを有している。第１端部１９０ａは、後脚２０に連結された第１連結点Ｐｔ１と連続している。第２端部１９０ｂは、肘掛け８０に連結された第２連結点Ｐｔ２Ａと連続している。線状下部１９０ｃは、肘掛け回転軸８５の下方に配置され、第２端部１９０ｂと連続している。線状接続部１９０ｄは、第１端部１９０ａおよび線状下部１９０ｃと連続しており、第１端部１９０ａと線状下部１９０ｃとの間に位置している。
【００７６】
本実施形態では、図１０および図１１に示すように、前脚１０および後脚２０が開脚位置Ｐ１１から閉脚位置Ｐ１２へ移動する際、後脚２０の離間部２２ａは、前脚１０の上前脚１２から徐々に下方に離れるため、肘掛け回転軸８５から後脚２０に連結された線状体１９０の第１連結点Ｐｔ１までの距離は徐々に長くなる。そのため、線状体１９０は、後脚２０の動きに連動して下方に引っ張られる状態となる。そして、線状体１９０が引っ張られることで、肘掛け８０も引っ張られた状態となる。本実施形態では、線状体１９０は、肘掛け回転軸８５の下方を通過するように配置されているため、線状体１９０が引っ張られると、線状体１９０は肘掛け８０を後斜め下方に向かって引っ張る状態となる。そのため、線状体１９０によって肘掛け８０は、肘掛け回転軸８５を中心に下方に回転する。その結果、図１１に示すように肘掛け８０の位置が縦位置Ｐ２２Ａとなる。
【００７７】
本実施形態であっても、上記実施形態と同様に、開脚位置Ｐ１１から閉脚位置Ｐ１２へ移動する際の前脚１０と後脚２０との相互回転に連動して、肘掛け８０を横位置Ｐ２１から縦位置Ｐ２２Ａに自動で移動させることができる。したがって、展開した状態の椅子１００を折り畳む際、利用者による肘掛け８０を回転させる作業を省略することができるため、利用者の作業を軽減することができる。
【００７８】
上記各実施形態では、連結フレーム１５は、前脚１０の上部（詳しくは、上前脚１２）に連結されていた。しかしながら、連結フレーム１５は、後脚２０に連結されていてもよい。すなわち、本発明に係る第１の脚が後脚２０であり、本発明に係る第２の脚が前脚１０であってもよい。この場合、前脚１０および後脚２０の位置が開脚位置Ｐ１１から閉脚位置Ｐ１２へ移動する際、脚回転軸３０を境界にして前脚１０を分割したときの下前脚１１側の部位は、後脚２０の上後脚２２から徐々に下方に離れていく。そのため、この場合、線状体の第１連結点は、脚回転軸３０を境界にして前脚１０を分割したときの下前脚１１側の部位に連結される。このことによって、前脚１０および後脚２０の位置が開脚位置Ｐ１１から閉脚位置Ｐ１２へ移動する際、肘掛け回転軸８５から前脚１０に連結された線状体の第１連結点までの距離は、徐々に長くなる。よって、前脚１０および後脚２０における開脚位置Ｐ１１から閉脚位置Ｐ１２への移動に連動して、肘掛け８０を横位置Ｐ２１から縦位置Ｐ２２へと移動することができる。
【００７９】
上記各実施形態では、線状体９０、１９０の第１連結点Ｐｔ１は、後脚２０の補強部２３に連結されていた。しかしながら、第１連結点Ｐｔ１は、補強部２３以外の後脚２０の部位に連結されていてもよい。例えば、第１連結点Ｐｔ１は、脚回転軸３０を境界にして後脚２０を分割したときの下後脚２１側のパイプ状の部位に連結されていてもよいし、後脚２０の第２支持バー４２または第２連結バー４５に連結されていてもよい。
【００８０】
また、線状体９０、１９０の第１連結点Ｐｔ１は、座部５０に連結されていてもよい。、この場合、第１連結点Ｐｔ１が連結される位置は、開脚位置Ｐ１１のときの第１連結点Ｐｔ１から肘掛け回転軸８５までの距離が、閉脚位置Ｐ１２のときの第１連結点Ｐｔ１から肘掛け回転軸８５までの距離よりも短いという条件を満たすような座部５０の位置である。
【符号の説明】
【００８１】
１０  前脚（第１の脚）
１５  連結フレーム（フレーム）
２０  後脚（第２の脚）
３０  脚回転軸
８０  肘掛け
８０ａ  根元部
８０ｂ  先端部
８５  肘掛け回転軸
９０  線状体
１００  浴室用椅子
Ｐ１１  開脚位置
Ｐ１２  閉脚位置
Ｐ２１  横位置
Ｐ２２  縦位置
Ｐｔ１  第１連結点
Ｐｔ２  第２連結点
【図１】
2020031904.tif 000003
【図２】
2020031904.tif 000004
【図３】
2020031904.tif 000005
【図４】
2020031904.tif 000006
【図５】
2020031904.tif 000007
【図６】
2020031904.tif 000008
【図７】
2020031904.tif 000009
【図８】
2020031904.tif 000010
【図９】
2020031904.tif 000011
【図１０】
2020031904.tif 000012
【図１１】
2020031904.tif 000013